(57)【要約】【課題】  映像とオンスクリーン表示データ（ＯＳＤ）のＥＯＴＦが一致しない場合に、重畳合成した映像信号を表示装置に表示すると、ＯＳＤが適切な明るさで表示されないという課題があった。【解決手段】  映像にオンスクリーン表示データを重畳して出力する映像出力装置であって、出力される映像の輝度レンジに関する規格に応じてオンスクリーン表示データの明るさを補正する補正手段と、明るさが補正されたオンスクリーン表示データを映像に重畳して出力する出力手段と、を備える映像出力装置である。【選択図】  図３
2019057824.tif 000002
【特許請求の範囲】
【請求項１】
映像にオンスクリーン表示データを重畳して出力する映像出力装置であって、
出力される前記映像の輝度レンジに関する規格に応じてオンスクリーン表示データの明るさを補正する補正手段と、
明るさが補正された前記オンスクリーン表示データを前記映像に重畳して出力する出力手段と、を備えることを特徴とする映像出力装置。
【請求項２】
前記出力される映像の輝度レンジに関する規格を設定する設定手段と、
前記設定手段によって設定された規格に応じて映像を補正する映像補正手段と、を備えることを特徴とする請求項１に記載の映像出力装置。
【請求項３】
前記映像補正手段は、前記映像のメタデータに記録された情報を用いて映像を補正することを特徴とする請求項２に記載の映像出力装置。
【請求項４】
前記出力される映像がＨＤＲ規格である場合、
前記補正手段は、前記オンスクリーン表示データの明るさをＨＤＲ規格に応じて補正することを特徴とする請求項１から３のいずれか１項に記載の映像出力装置。
【請求項５】
前記オンスクリーン表示データが重畳された映像において、前記オンスクリーン表示データが占める面積が所定よりも小さいときは、前記補正手段による補正を行わずに映像に重畳して出力することを特徴とする請求項１から４のいずれか１項に記載の映像出力装置。
【請求項６】
映像にオンスクリーン表示データを重畳して出力する映像出力方法であって、
出力される前記映像の輝度レンジに関する規格に応じてオンスクリーン表示データの明るさを補正する補正工程と、
明るさが補正された前記オンスクリーン表示データを前記映像に重畳して出力する出力工程と、を備えることを特徴とする映像出力方法。
【請求項７】
前記オンスクリーン表示データが重畳された映像において、前記オンスクリーン表示データが占める面積が所定よりも小さいときは、前記オンスクリーン表示データの明るさを補正せずに映像に重畳して出力することを特徴とする請求項６に記載の映像出力方法。
【発明の詳細な説明】
【技術分野】
【０００１】
本発明は、映像に文字情報等のオンスクリーン表示データを重畳して信号出力する技術に関するものに関する。
【背景技術】
【０００２】
現在、映像の輝度レンジに関する規格であるＳＤＲ（スタンダードダイナミックレンジ）規格に対して、より高輝度表現が可能なＨＤＲ（ハイダイナミックレンジ）規格が普及しつつある。ＨＤＲ規格では、ＳＤＲ規格よりも高輝度までマッピングされたＥＯＴＦ（Ｅｌｅｃｔｒｏ−Ｏｐｔｉｃａｌ  Ｔｒａｎｓｆｅｒ  Ｆｕｎｃｔｉｏｎ）を前提とした映像信号によって、高輝度から低輝度までの広い輝度レンジで映像の表現を実現している。
【０００３】
一方、映像に重畳合成する文字情報等のオンスクリーン表示データ（以下、ＯＳＤと称する）は、ある決められたＥＯＴＦを前提に生成されることが一般的であり、出力条件によってＥＯＴＦが変化する場合は想定されていなかった。
【０００４】
なお、ＯＳＤのガンマカーブや明るさを補正する技術が従来から提案されている。例えば、特開２００３−２１９２６９号公報においては、ビデオカメラ内部で発生する映像のガンマカーブ変更に伴うＯＳＤ輝度変化を、選択された逆方向のガンマ補正で解消している。また、特開２００５−３２１４２３号公報においては、入力映像信号に応じて動的にバックライト光源の発光輝度を変調する場合に、ＯＳＤ画像信号の輝度レベルを可変制御する技術が開示されている。
【先行技術文献】
【特許文献】
【０００５】
【特許文献１】特開２００３−２１９２６９号公報
【特許文献２】特開２００５−３２１４２３号公報
【発明の概要】
【発明が解決しようとする課題】
【０００６】
例えば、映像出力装置内でＳＤＲ規格のＥＯＴＦを前提としたＯＳＤを生成する場合、重畳される映像がＳＤＲ規格であれば、重畳合成後のＯＳＤは適切な明るさで表示装置に表示される。しかし、重畳される映像がＨＤＲ規格であった場合、ＯＳＤの明るさを補正せずに重畳すると、重畳合成後のＯＳＤは適切ではない明るさで表示装置に表示されてしまう。この場合、ＯＳＤは白い文字が輝くような明るさで表示され、視聴者が眩しさを感じてしまう。
【０００７】
特開２００３−２１９２６９号公報には、ガンマ補正値の選択に基づいてＯＳＤの補正を行うことが記載されているが、扱う映像の輝度レンジに関する規格に基づいてＯＳＤの明るさを決定する方法は開示されていない。また、特開２００５−３２１４２３号公報によれば、可変制御されたバックライト光源の発光輝度に応じて、ＯＳＤ信号の輝度レベルを可変制御することはできたが、同様に扱う映像の輝度レンジに関する規格に基づいてＯＳＤの明るさを決定する方法は開示されていない。
【課題を解決するための手段】
【０００８】
本発明の１実施態様によれば、映像にオンスクリーン表示データを重畳して出力する映像出力装置であって、出力される前記映像の輝度レンジに関する規格に応じてオンスクリーン表示データの明るさを補正する補正手段と、明るさが補正された前記オンスクリーン表示データを前記映像に重畳して出力する出力手段と、を備える映像出力装置である。
【発明の効果】
【０００９】
本発明によれば、出力する映像の輝度レンジに関する規格に基づいて、適切なＯＳＤデータを映像に重畳して合成し、表示装置においてＯＳＤを適切な明るさで表示させることができる。
【図面の簡単な説明】
【００１０】
【図１】本発明の第１実施形態のデジタルビデオカメラの構成を示すブロック図である。
【図２】第１実施形態における映像出力に係るフローチャートである。
【図３】第１実施形態における映像出力に係るフローチャートである。
【図４】第１実施形態における映像信号および映像データに関するデータパス図である。
【図５】第２実施形態における映像出力に係るフローチャートである。
【図６】第２実施形態におけるＯＳＤフレームの内容を示す図である。
【発明を実施するための形態】
【００１１】
（第１の実施形態）
以下に、本発明の好ましい実施の形態を、添付の図面に基づいて詳細に説明する。なお、本発明をデジタルビデオカメラに適用した実施形態を用いて説明するが、デジタルビデオカメラは一例であって、本発明は他の映像出力装置においても適用することができる。
【００１２】
図１は、本発明の第１実施形態のデジタルビデオカメラの構成を示すブロック図である。
【００１３】
１００はデジタルビデオカメラの筺体であり、デジタルビデオカメラの構成要素を筐体内に収容している。
【００１４】
１０１は鏡筒であり、フォーカスレンズや防振レンズを含む撮像レンズと絞りを含んで構成される。鏡筒１０１は、筺体１００と一体的に形成されていても、筐体１００と分離可能であっても構わない。
【００１５】
１０２は撮像部であり、鏡筒１０１のレンズで集光された光学像を電気信号に変換する撮像センサと、撮像センサから出力されるアナログ信号をデジタル信号に変換するＡ／Ｄ変換器を含む。
【００１６】
１０３は映像処理部であり、撮像部１０２からの映像データまたはメモリ制御部１０８からの映像データに対して、所定のリサイズ処理、トリミング処理、色変換処理、歪曲補正処理を行い、メモリ制御部１０８を介してメモリ１０９にＶＲＡＭ（映像データ）を出力する。また、映像処理部１０３では、撮像した映像データを用いて所定の演算処理が行われ、得られた演算結果に基づいてシステム制御部１１０が露光制御、測距制御、防振制御を行う。
【００１７】
所定の演算処理には、顔などの被写体を検出する機能も含まれる。これにより、ＡＦ（オートフォーカス）処理、ＡＥ（自動露出）処理、防振処理が行われる。なお、映像処理部１０３は、撮像した映像データを用いて所定の演算処理を行い、得られた演算結果に基づいてＡＷＢ（オートホワイトバランス）処理も行っている。さらになお、エンコード済み映像データをＣＯＤＥＣ１０４がデコードしたＶＲＡＭを入力し、リサイズ処理や色変換処理を行って新たなＶＲＡＭを生成する処理も行っている。
【００１８】
撮像部１０２と映像処理部１０３による処理によって、光学像を映像規格に適合したデジタル信号に変換するＯＥＴＦ（Ｏｐｔｉｃａｌ−Ｅｌｅｃｔｒｏ  Ｔｒａｎｓｆｅｒ  Ｆｕｎｃｔｉｏｎ）処理が行われる。また、映像処理部１０３は、ＬＵＴ（ルックアップテーブル）等を利用して、あるＥＯＴＦに対応した映像データを、別のＥＯＴＦに対応した映像データへ変換することができる。例えば、ＨＤＲ規格の映像データをＳＤＲ規格データの映像に変換することができる。
【００１９】
１０４はＣＯＤＥＣであり、映像処理部１０３で生成したＶＲＡＭをＭＰＥＧ２やＨ．２６４等の動画圧縮方式でエンコードしたり、メモリ制御部１０８からのエンコード済み映像データをデコードし、メモリ制御部１０８へＶＲＡＭとして出力する。
【００２０】
１０５は映像出力部であり、メモリ１０９に記憶された複数のＶＲＡＭをメモリ制御部１０８を介して読み出し、読み出された複数のＶＲＡＭを用いて映像信号化する。表示装置１２５が入力可能な信号規格（例えばＳＤＲまたはＨＤＲ）に関する情報を表示制御部１０６を介して取得し、映像信号をその信号規格に適合する信号に変換することができる。また、映像信号に、システム制御部１１０にて決定したメタデータを付与することができる。
【００２１】
１０６は表示制御部であり、表示装置１２５との接続を確立し、映像信号を出力する。デジタルカメラと表示装置１２５の接続方法は、有線、無線を問わない。例えば、ＨＤＭＩ（登録商標）ケーブルで相互に接続され、デジタルビデオカメラとの間で映像信号や信号規格の情報をやりとりしてもよい。あるいは、無線ＬＡＮなどの無線技術によって映像信号や信号規格の情報を送受信しても構わない。
【００２２】
表示制御部１０６は、表示装置１２５に入力可能な信号規格や、表示可能な最大輝度や、輝度が不足した場合のガンマ圧縮方法などの表示能力を取得し、システム制御部１１０や映像出力部１０５に伝えることができる。
【００２３】
なお、表示制御部１０６と表示装置１２５との接続方式がＳＤＩなどの片方向伝送規格である場合、表示装置１２５から表示制御部１０６へ情報を伝えることはできない。その場合は、デジタルビデオカメラのメニュー設定で、表示装置１２５の表示能力を入力することによって相互通信に代替することができる。
【００２４】
１０７は、デジタルビデオカメラに取り付けられたＬＣＤパネルである。表示装置１２５と同一の表示内容を表示することもできるし、別々の表示内容とすることもできる。ただし、ＬＣＤパネル１０７はどのような信号規格の映像が入力されても、既定のＥＯＴＦ処理を行って表示する。例えば、既定のＥＯＴＦ処理がＳＤＲ規格向けであった場合、ＨＤＲ映像信号を入力すると、全体的に暗くコントラストの低い映像のように表示される。
【００２５】
１０８はメモリ制御部であり、各ブロックからメモリ１０９へのアクセス要求を調停する機能を備える。
【００２６】
１０９はメモリであり、映像処理部１０３、ＣＯＤＥＣ１０４、映像出力部１０５、ＯＳＤ描画部１２１、ＯＳＤ補正部１２２のそれぞれが扱うＶＲＡＭを格納する。また、ＣＯＤＥＣ１０４から出力されたエンコード済み映像データや、記録媒体１２４から読み出されたエンコード済み映像データを一時的に記憶する機能も果たす。メモリ１０９は、所定時間の動画像および音声を格納するのに十分な記録容量を備えている。
【００２７】
１１０はシステム制御部であり、デジタルビデオカメラ全体を制御する。不揮発性メモリ１１６に記録されたプログラムを読みだして実行することで各部を制御し、本実施形態の各動作を実現する。システム制御部１１０は複数のＣＰＵコアを備えていても構わない。その場合は、プログラムに記述されたタスクを複数のＣＰＵコアで分担して処理することができる。
【００２８】
１１１はビデオカメラの動作モードを選択するためのモードスイッチである。スイッチの位置によって、カメラモード、再生モード、電源切のいずれかのモードを決定し、システム制御部１１０へ通知する。
【００２９】
１１２はＬＣＤパネル１０７に表示される映像上にメニュー画面を開いたり閉じたりすることを指示するためのメニューキーである。メニュー画面表示中の操作によって、デジタルビデオカメラ各部の設定を変更することができる。例えば、記録する映像の信号規格を選択したり、表示装置１２５へ出力する映像の信号規格を選択したりできる。
【００３０】
１１３は十字キーであり、様々な用途で使われる。例えば、メニュー画面上に表示されるカーソルの移動を指示するときに利用する。
【００３１】
１１４はＳＥＴキーであり、様々な用途で使われる。例えば、メニュー画面上でカーソルによって選択された設定項目や設定値の確定を指示するときに利用する。
【００３２】
１１５はキャンセルキーであり、様々な用途で使われる。例えば、メニュー画面上で設定途中の状態から直前の状態に戻ったり、メニュー画面を閉じたりするよう指示するときに利用する。
【００３３】
１１６は、電気的に消去、記録可能な不揮発性メモリである。例えばＥＥＰＲＯＭ等が用いられる。不揮発性メモリ１１６には、システム制御部１１０の動作用の定数、プログラム等が記録される。ここでいう、プログラムとは、本実施形態にて後述する各種フローチャートを実行するためのプログラムのことである。
【００３４】
１１７は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部１１７は、その検出結果及びシステム制御部１１０の指示に基づいてＤＣ−ＤＣコンバータを制御し、必要な電圧を必要な期間、記録媒体１２４を含む各部へ供給する。
【００３５】
１１８は電源部であり、アルカリ電池やリチウム電池等の一次電池やＮｉＣｄ電池やＮｉＭＨ電池、Ｌｉ電池等の二次電池、ＡＣアダプター等からなる。
【００３６】
１１９はシステムメモリであり、ＲＡＭが用いられる。システムメモリ１１９には、システム制御部１１０の動作用の定数、変数、不揮発性メモリ１１６から読み出したプログラム等を展開する。また、システム制御部はメモリ１０９、ＯＳＤ描画部１２１、ＯＳＤ補正部１２２、映像出力部１０５を制御することにより表示制御も行う。システムメモリ１１９はメモリ１０９と共通であってもよい。その場合はメモリ制御部１０８によってアクセスが調停されるので、高速にアクセス可能な小容量のメモリを別途システム制御部１１０に直結して備えることがある。
【００３７】
システムタイマー１２０は各種制御に用いる時間や、内蔵された時計の時間を計測する計時部である。
【００３８】
１２１はＯＳＤ描画部であり、デジタルビデオカメラの状態や設定を表す文字列やアイコンおよび各種の表示枠やマーカーを、既定のＥＯＴＦに対応するデータとしてメモリ１０９上のＶＲＡＭへレンダリングする。文字やアイコンは不揮発性メモリ１１６に格納されており、それをＯＳＤ描画部１２１が読みだしてＶＲＡＭへレンダリングする。
【００３９】
１２２はＯＳＤ補正部であり、ＯＳＤ描画部１２１で描画されたＶＲＡＭを、別のＥＯＴＦに対応したＶＲＡＭとして出力することができる。ＬＵＴ、ガンマ補正、ゲイン補正などの方法によってＯＳＤの明るさなどを補正することができる。
【００４０】
また、出力すべきＥＯＴＦがＯＳＤ描画部１２１で描画したＥＯＴＦと一致する場合は、ＯＳＤ補正部１２２による補正を行わなくてよい。例えば、ＯＳＤ描画部１２１でＳＤＲ用ＥＯＴＦでＯＳＤを描画し、映像出力部１０５から出力する映像信号がＨＤＲである場合は、ＯＳＤ補正部１２２によって、ＨＤＲに適したＥＯＴＦへの補正処理を行う。一方、出力する映像信号もＳＤＲであれば、ＯＳＤ補正部１２２による補正は不要である。これによって過剰な処理コストを削減することができる。
【００４１】
あるいは、ＯＳＤ描画部１２１とＯＳＤ補正部１２２が一体であり、ＯＳＤを任意のＥＯＴＦに対応して描画可能な構成となっていてもよい。
【００４２】
１２３は、メモリカードやハードディスク等の記録媒体１２４とのインターフェースである。
【００４３】
１２４は記録媒体であり、メモリ１０９に格納されたエンコード済み映像データを、Ｉ／Ｆ１２３によって記録したり、自身に記録されているエンコード済み映像データおよび付随するデータを、Ｉ／Ｆ１２３によって読み出してメモリ１０９に転送する。記録媒体１２４は、デジタルビデオカメラに装着されるメモリカードやハードディスクドライブやディスクであってもよいし、デジタルビデオカメラ内に組み込まれたフラッシュメモリやハードディスクドライブであってもよい。
【００４４】
１２５はデジタルビデオカメラに接続された表示装置であり、入力した映像信号を、メタデータに格納された信号規格に基づいてＥＯＴＦ処理を行い、表示することができる。表示装置１２５は、液晶パネルや有機ＥＬパネル等で構成される。
【００４５】
図２および図３は、第１実施形態のデジタルビデオカメラにおける映像出力に係る動作を示すフローチャートである。これらのフローは、システム制御部１１０が不揮発性メモリ１１６に格納されたプログラムに基づいて、デジタルビデオカメラの各部を制御することによって実現することができる。
【００４６】
また、図４は、第１実施形態のデジタルビデオカメラにおける映像信号および映像データの流れを示すデータパス図である。各ブロックには図１と同一の番号を付与している。なお、各ブロック間のデータ授受においては、メモリ１０９へのＶＲＡＭデータの読み書きを経由している場合があるが、この図では省略している。図４は、図２および図３のフローチャートの説明とともに詳述する。
【００４７】
図２（Ａ）は、デジタルビデオカメラがカメラモード（撮影モード）で動作しているときに、撮像および記録する映像の信号規格と、出力する映像の信号規格を決定し、撮像を開始するフローである。このフローの説明は、図４（Ａ）のブロック４０１のデータパスの説明を含んでいる。
【００４８】
ステップ２０１では、モードスイッチ１１１がカメラモードに設定されているか否かを判定する。カメラモードであればステップ２０２以降のフローを実行する。
【００４９】
ステップ２０２では、メニュー画面を開くためにメニューキー１１２が押下されたか否かを判定する。ここで、真（ＹＥＳ）であれば、ステップ２０３で、ＯＳＤ描画部１２１によってメニュー画面を描画し、映像出力部１０５、表示制御部１０６を介して表示装置１２５およびＬＣＤパネル１０７へ表示する。なお、このメニュー画面は、図３のフローによって映像上にＯＳＤとして重畳されて表示される。ステップ２０２が偽（ＮＯ）であれば、ステップ２１０へ進む。
【００５０】
ステップ２０４では、メニュー内での十字キー１１３、ＳＥＴキー１１４およびキャンセルキー１１５の操作によって、撮像信号規格について設定を行ったか否かを判定する。ここで、真（ＹＥＳ）であれば、設定された撮像信号規格をステップ２０５でシステムメモリ１１９へ保存する。
【００５１】
ステップ２０６では、メニュー内での同様の操作によって、出力信号規格設定を行ったか否かを判定する。ここで、真（ＹＥＳ）であれば、設定された出力信号規格をステップ２０７でシステムメモリ１１９へ保存する。
【００５２】
撮像信号規格と出力信号規格をそれぞれ独立に設定が可能とすることによって、表示装置１２５やＬＣＤパネル１０７が撮像信号規格に対応していない場合でも、できる限り望ましい表示結果を得ることができる。
【００５３】
また、記録媒体１２４へＨＤＲ規格で記録する映像コンテンツを、最終的にＨＤＲ／ＳＤＲ両方に変換して利用する想定のときに、ＳＤＲに変換後の状態をプレビューする用途で表示装置１２５を利用できる。出力信号規格は、表示装置１２５およびＬＣＤパネル１０７に対してそれぞれ別々の設定を行うことができる。
【００５４】
なお、出力信号規格設定を行わなかったとき、あるいは出力信号を「変換なし」に設定した場合は、この後のステップにおいて、出力信号規格は撮像信号規格と等しいと判断する。
【００５５】
ステップ２０８では、メニュー画面を終了するためにメニューキー１１２が押下されたか否かを判定する。真（ＹＥＳ）であれば、ステップ２０９で、撮影画面をステップ２０３と同様に表示装置１２５およびＬＣＤパネル１０７へ表示する。偽（ＮＯ）であれば、ステップ２０４へ戻る。
【００５６】
ステップ２１０では、システム制御部１１０が、鏡筒１０１、撮像部１０２および映像処理部１０３を制御して撮像を開始する。映像処理部１０３では、ステップ２０５で決定した撮像信号規格に基づいたＯＥＴＦ処理が行われる。この処理により得られた映像は、メモリ制御部１０８を介していったんメモリ１０９にフレームデータとしてバッファリングされた後、後述の図３のフローによって表示装置１２５およびＬＣＤパネル１０７へ出力される。
【００５７】
メモリ１０９にバッファリングされた映像フレームデータは、図示しないフローによってＣＯＤＥＣ１０４でエンコードされ、Ｉ／Ｆ１２３を介して記録媒体１２４へ記録することもできる。記録される映像の信号規格は、ステップ２０５で決定した撮像信号規格であり、その識別情報もメタデータとして記録媒体１２４へ同時に記録される。
【００５８】
図２（Ｂ）は、デジタルビデオカメラが再生モードで動作しているときに、再生出力する映像の信号規格を決定し、再生を開始するフローである。このフローの説明は、図４（Ｂ）のブロック４０３のデータパスの説明を含んでいる。
【００５９】
ステップ２１１では、モードスイッチ１１１が再生モードに設定されているか否かを判定する。再生モードであればステップ２１２以降のフローを実行する。
【００６０】
ステップ２１２では、メニュー画面を開くためにメニューキー１１２が押下されたか否かを判定する。ここで、真（ＹＥＳ）であれば、ステップ２１３で、メニュー画面をステップ２０３と同様に表示装置１２５およびＬＣＤパネル１０７へ表示する。また、偽（ＮＯ）であれば、ステップ２１８へ進む。
【００６１】
ステップ２１４では、メニュー内での十字キー１１３およびＳＥＴキー１１４およびキャンセルキー１１５の操作によって、出力信号規格設定を行ったか否かを判定する。真（ＹＥＳ）であれば、設定された出力信号規格をステップ２１５でシステムメモリ１１９へ保存する。出力信号規格は、ステップ２０６と同様に、表示装置１２５およびＬＣＤパネル１０７に対してそれぞれ別々の設定を行うことができる。なお、出力信号規格設定を行わなかったとき、あるいは出力信号を「変換なし」に設定した場合は、この後のステップにおいて、出力信号規格は再生するエンコード済み映像データのメタデータに記録された信号規格と等しいと判断する。
【００６２】
ステップ２１６では、メニュー画面を終了するためにメニューキー１１２が押下されたか否かを判定する。ここで、真（ＹＥＳ）であれば、ステップ２１７で、再生画面をステップ２０３と同様に表示装置１２５およびＬＣＤパネル１０７へ表示する。偽であれば、ステップ２１４へ戻る。
【００６３】
ステップ２１８では、すでに再生が行われているか否かを判定する。真（ＹＥＳ）であれば、ステップ２１２へ戻る。また、偽（ＮＯ）であれば、さらにステップ２１９で、各種キーによって再生開始が指示されたか否かを判定して、判定結果に応じた処理（ステップ２２０、ステップ２１２）に進む。
【００６４】
ステップ２２０では、映像の再生を開始する。記録媒体１２４に記録されたエンコード済み映像データをＩ／Ｆ１２３を介して読みだしてＣＯＤＥＣ１０４でデコードする。この処理により得られた映像は、メモリ制御部１０８を介していったんメモリ１０９にフレームデータとしてバッファリングされた後、図３のフローによって表示装置１２５およびＬＣＤパネル１０７へ再生出力される。
【００６５】
図３は、図２（Ａ）のフローによって撮像された映像、もしくは図２（Ｂ）のフローによってデコードされた映像を入力として、ＯＳＤを重畳して表示装置１２５へ出力するフローである。このフローの説明は、図４（Ａ）のブロック４０２および図４（Ｂ）のブロック４０４のデータパスの説明を含んでいる。
【００６６】
ステップ３０１では、入力信号規格を取得する。入力信号とは、ステップ２１０もしくはステップ２２０においてメモリ１０９へバッファリングされた映像フレームデータのことである。入力信号規格は、カメラモードであればステップ２０５でシステムメモリ１１９に記憶されているので、ここから読み出して取得する。再生モードであれば、記録媒体１２４に映像データとともにメタデータとして記録されている信号規格の識別情報を読み出して取得する。
【００６７】
ステップ３０２では、出力信号規格を取得する。出力信号規格は、ステップ２０７もしくはステップ２０５でシステムメモリ１１９に記憶されているので、これを読み出して取得する。
【００６８】
ステップ３０３では、ステップ３０１およびステップ３０２で取得した入出力の信号規格が一致するか否かを判定する。判定の結果、真（ＹＥＳ）であればステップ３０５に進み、偽（ＮＯ）であれば、ステップ３０４で、入力信号をメモリ１０９から読みだして、映像処理部１０３によって出力信号規格に対応したＥＯＴＦへ変換する。この変換処理は、例えばＬＵＴによって実現され、表示装置１２５へ出力する映像とＬＣＤパネル１０７へ出力する映像のそれぞれに個別で適用される。
【００６９】
ステップ３０５では、システム制御部１１０が各部から何らかのイベントを受信することによって、ＯＳＤの更新要求が発生したか否かを判定するステップである。ここで、偽（ＮＯ）であれば、ステップ３０７へ進む。また、真（ＹＥＳ）であれば、ステップ３０６で、ステップ３０２による出力信号規格に対応したＯＳＤフレームを、ＯＳＤ描画部１２１およびＯＳＤ補正部１２２によって生成し、メモリ制御部１０８を介してメモリ１０９に保存する。ただし、ＬＣＤパネル１０７に重畳出力するためのＯＳＤフレームは、ステップ３０２による出力信号規格に関わらず、既定のＥＯＴＦで生成される。
【００７０】
仮に、ＯＳＤ描画部１２１が描画するＯＳＤの既定のＥＯＴＦが、ＳＤＲ規格に対応する特性であったとき、ステップ３０２で取得した出力信号規格がＳＤＲ規格であれば、ＯＳＤ補正部１２２による明るさの補正は必要ない。逆に、出力信号規格がＨＤＲ規格であれば、ＯＳＤ補正部１２２は、ＳＤＲからＨＤＲへのＥＯＴＦ変換を行って、ＯＳＤの明るさを補正して映像補正を行う。
【００７１】
このとき、図示しないフローによって表示制御部１０６が表示装置１２５から受信した、最大輝度情報やガンマ圧縮方法などの表示能力情報を利用することもできる。表示装置１２５において、表示可能な最大輝度の不足によって、出力信号規格が正確に表現できないために、ＥＯＴＦ変換時にガンマカーブが圧縮されて表示される場合がある。この場合には、出力信号規格に正確に適合したＯＳＤフレームを生成しても、表示装置１２５にはＯＳＤが暗めに表示されてしまう可能性がある。これを避けるため、あらかじめ取得した表示装置１２５の最大輝度情報もしくはガンマ圧縮情報をもとに、ＯＳＤフレームを明るめに生成することによって、最大輝度が十分でなくてもＯＳＤを適切な明るさで表示できるようにすることができる。上記の表示能力情報に応じた補正は、ＨＤＲなどの高輝度信号規格においては必要に応じて行うことができるが、ＳＤＲは一般的な表示装置においては不要である。
【００７２】
ステップ３０７では、入力信号もしくはステップ３０４でＥＯＴＦ変換した映像信号と、ステップ３０６で生成したＯＳＤフレームを映像出力部１０５へ設定する。さらに、ステップ３０８において、出力信号規格をメタデータとして収めるために映像出力部１０５へ設定する。これらのステップによって、映像出力部１０５は、映像信号とＯＳＤを重畳し、出力信号規格情報とともに、表示制御部１０６を介して表示装置１２５へ出力する。また、ＬＣＤパネル１０７へも同時に出力する。
【００７３】
表示装置１２５は、入力されたＯＳＤ重畳済みの映像信号に対して、メタデータで与えられた信号規格に基づいたＥＯＴＦ変換を行って表示することができる。ＬＣＤパネル１０７は、入力されたＯＳＤ重畳済みの映像信号を、既定のＥＯＴＦ変換を行って表示する。
【００７４】
本実施形態によれば、デジタルビデオカメラから出力する映像の信号規格に基づいて、適切なＯＳＤデータを映像上に重畳合成し、表示装置１２５においてＯＳＤが適切な明るさで表示されるよう出力することができる。また、目的や表示装置の対応規格に合わせて出力する映像の信号規格を変更し、ＥＯＴＦを変換することができる。
【００７５】
また、デジタルビデオカメラが接続された表示装置が信号規格を正確に再現できる場合はもちろんのこと、信号規格で規定された最大輝度まで表示することができない場合であっても、表示装置の能力を取得することで、ＯＳＤを適切な明るさに近づけて表示することができる。この実施形態は、ＯＳＤの画面構成によらずに適用することができ、映像とＯＳＤの明るさを常に両立することができる。
【００７６】
さらに、ＬＣＤパネル１０７が既定のＥＯＴＦしか再現できず、ＨＤＲのような高輝度表示を満たせない場合でも、表示装置１２５およびＬＣＤパネル１０７のそれぞれにおいて、ＯＳＤを適切な明るさで表示することができる。
【００７７】
上記の効果は、デジタルカメラがカメラモードであっても再生モードであっても、同様に享受することができる。
【００７８】
（第２の実施形態）
次に、本発明の第２実施形態のデジタルビデオカメラについて、図面に基づいて説明する。第２実施形態の構成は、基本的に図１に示した第１実施形態と同じであるため、同一の構成については説明を省略する。ただし、ＯＳＤ補正部１２２は、本実施形態においては不要である。
【００７９】
図２と図５を用いて、第２実施形態における映像出力のフローを説明する。図２と図５に示されるフローは、システム制御部１１０が不揮発性メモリ１１６に格納されたプログラムに基づいて、デジタルビデオカメラの各部を制御することによって実現することができる。
【００８０】
また、図６は、ＯＳＤ描画部１２１で描画されたＯＳＤフレームの内容を示す図である。
【００８１】
なお、図２（Ａ）は、本デジタルビデオカメラがカメラモードで動作しているときに、撮像および記録する映像の信号規格と、出力する映像の信号規格を決定し、撮像を開始するフローである。このフローは、第１実施形態と同様である。
【００８２】
さらになお、図２（Ｂ）は、本デジタルビデオカメラが再生モードで動作しているときに、再生出力する映像の信号規格を決定し、再生を開始するフローである。このフローも、第１実施形態と同様である。
【００８３】
図５は、図２（Ａ）のフローによって撮像された映像、もしくは図２（Ｂ）のフローによってデコードされた映像を入力として、ＯＳＤを映像に重畳して表示装置１２５およびＬＣＤパネル１０７へ出力するフローである。
【００８４】
ステップ５０１では、入力信号規格を取得する。入力信号とは、ステップ２１０もしくはステップ２２０においてメモリ１０９へバッファリングされた映像フレームデータのことである。入力信号規格は、カメラモードであればステップ２０５でシステムメモリ１１９に記憶されているので、ここから読み出して取得する。再生モードであれば、記録媒体１２４にメタデータとして記録された信号規格の識別情報を読み出して取得する。
【００８５】
ステップ５０２では、出力信号規格を取得する。出力信号規格は、ステップ２０７もしくはステップ２０５でシステムメモリ１１９に記憶されているので、これを読みだして取得する。
【００８６】
ステップ５０３では、ステップ５０１およびステップ５０２で取得した、入出力信号規格が一致するか否かを判定する。判定の結果、真（ＹＥＳ）であればステップ５０５に進み、偽（ＮＯ）であればステップ５０４に進み、入力信号をメモリ１０９から読みだして、映像処理部１０３によって出力信号規格に対応したＥＯＴＦへ変換する。この変換処理は、例えばＬＵＴによって実現され、表示装置１２５へ出力する映像とＬＣＤパネル１０７へ出力する映像のそれぞれに個別で適用される。
【００８７】
ステップ５０５では、システム制御部１１０が各部から何らかのイベントを受信することによって、ＯＳＤの更新要求が発生したか否かを判定するステップである。ここで偽（ＮＯ）であれば、ステップ５０７へ進む。真（ＹＥＳ）であれば、ステップ３０５に進み、ＳＤＲ規格に対応したＥＯＴＦのＯＳＤフレームを、ＯＳＤ描画部１２１およびＯＳＤ補正部１２２によって生成し、メモリ制御部１０８を介してメモリ１０９へ保存する。
【００８８】
ステップ５０７では、ステップ５０２で取得した出力信号規格がＳＤＲ規格であるか否かを判定する。真（ＹＥＳ）であればステップ５１１へ進む。偽（ＮＯ）であれば、ステップ５０８に進み、ＯＳＤの状態がメニュー表示中であるか否かを判定する。ここで真（ＹＥＳ）であればステップ５１１へ進み、偽であればステップ５０９へ進む。
【００８９】
ここで重要なのは、映像上にＯＳＤが重畳して表示したとき、表示画面において支配的なのが映像かＯＳＤかということである。表示画面が、図６（Ａ）に示される撮影画面や、図６（Ｂ）に示される再生画面のときは、表示画面の大部分の面積を映像が占めるので、ステップ５０９へ進む。逆に、表示画面が図６（Ｃ）に示されるメニュー画面であれば、表示画面の大部分の面積がＯＳＤで占められるので、ステップ５１０へ進む。
【００９０】
ステップ５０９では、ステップ５０２で取得した出力信号規格をメタデータに収めるために映像出力部１０５へ設定する。
【００９１】
ステップ５１０では、ＳＤＲ規格をメタデータに収めるために映像出力部１０５へ設定する。
【００９２】
ステップ５１１では、入力信号もしくはステップ５０４で変換した映像信号と、ステップ５０６で生成したＯＳＤフレームを映像出力部１０５へ設定する。このステップによって、映像出力部１０５は、映像信号とＯＳＤを重畳し、ステップ５０９またはステップ５１０で設定した信号規格を含むメタデータとともに、表示制御部１０６を介して表示装置１２５へ出力する。表示装置１２５は、入力されたＯＳＤ重畳済みの映像信号に対して、与えられた信号規格に基づいたＥＯＴＦ変換を行って表示を行う。
【００９３】
ステップ５１３では、入力信号もしくはステップ５０４で変換した映像信号と、ステップ５０６で生成したＯＳＤフレームをＬＣＤパネル１０７への出力用に映像出力部１０５へ設定する。このステップによって、映像出力部１０５は、映像信号とＯＳＤを重畳し、ＬＣＤパネル１０７へ出力する。ＬＣＤパネル１０７は、入力されたＯＳＤ重畳済みの映像信号を、既定のＥＯＴＦ変換を行って表示する。
【００９４】
以上に説明した第２実施形態によれば、デジタルビデオカメラから出力する映像の信号規格に基づいて、ＯＳＤが支配的な画面でない場合には、ＯＳＤの明るさの適切さをあきらめる代わりに、本来の信号規格に基づいた適切な明るさの映像を出力することができる。さらに、ＯＳＤが支配的な画面の場合には、信号規格に基づいた適切な映像表現を犠牲とする代わりに、ＯＳＤが適切な明るさとなる映像を出力することができる。
【００９５】
本実施形態は、映像の信号規格に基づいたＯＳＤ生成を行う必要がないため、比較的低コストに実現することができる。映像とＯＳＤのどちらかは適切な明るさで表示することができないが、その画面において支配的な要素は適切な明るさとなるため、実用上問題となる可能性は低い。もちろん、映像の信号規格とＯＳＤのＥＯＴＦが一致する場合には、制限なくどちらも最適な明るさで表示することができる。
【００９６】
上記の効果は、デジタルカメラがカメラモードであっても再生モードであっても、同様に享受することができる。
【００９７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００９８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００９９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【０１００】
その場合、プログラムの機能を有していれば、オブジェクトコード、インタプリタにより実行されるプログラム、ＯＳに供給するスクリプトデータ等、プログラムの形態を問わない。
【０１０１】
プログラムを供給するための記録媒体としては、例えば、ハードディスク、磁気テープ等の磁気記録媒体、光／光磁気記憶媒体、不揮発性の半導体メモリでもよい。
【０１０２】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【０１０３】
１００  筺体
１０２  撮像部
１０３  映像処理部
１０５  映像出力部
１０６  表示制御部
１０７  ＬＣＤパネル
１１０  システム制御部
１２１  ＯＳＤ描画部
１２２  ＯＳＤ補正部
１２４  記録媒体
１２５  表示装置
【図１】
2019057824.tif 000003
【図２】
2019057824.tif 000004
【図３】
2019057824.tif 000005
【図４】
2019057824.tif 000006
【図５】
2019057824.tif 000007
【図６】
2019057824.tif 000008